(57)【特許請求の範囲】
【請求項１】
集合住宅の各階において、強制給排気式燃焼器具に結ばれた給気管の給気口は、前記集合住宅建設時に建物と一体に建設された既設のＵ型共用ダクト内に直接開設し、排気管は、前記共有ダクト内を立ち上げて、その上端の排気口を、共用ダクトの排気開口部近傍に開設して成る集合住宅のＵ型共用ダクトを用いて行う強制給排気式燃焼器具の給排気装置。
【請求項２】
集合住宅の各階において、強制給排気式燃焼器具に結ばれた給気管は、前記集合住宅建設時に建物と一体に建設された既設のＵ型共用ダクト内を底部方向に下降して延長し、その給気口を、共用ダクトの底部近傍に開設し、排気口は、前記共用ダクト内に直接開設して成る集合住宅のＵ型共用ダクトを用いて行う強制給排気式燃焼器具の給排気装置。
【請求項３】
集合住宅の各階において、強制給排気式燃焼器具に結ばれた給気管は、前記集合住宅建設時に建物と一体に建設された既設のＵ型共用ダクト内を底部方向に下降して延長し、その給気口を、共用ダクトの底部近傍に開設し、排気管は、前記共用ダクト内を立ち上げて、その上端の排気口を、共用ダクトの排気開口部近傍に開設して成る集合住宅のＵ型共用ダクトを用いて行う強制給排気式燃焼器具の給排気装置。
【発明の詳細な説明】
【０００１】
【発明の属する技術分野】
本発明は、集合住宅に設置されている共用ダクトに強制給排気方式の燃焼器具の給排気口を臨ませて給排気を行う装置に関するものである。
【０００２】
【従来の技術】
集合住宅の場合、各住戸において共用できる共用ダクトと称される給排気ダクトが設けてあり、燃焼器具の給排気は、各階においてこの共用ダクト内に直接開設した給排気口で行う方式となっている。図４はこの例であって、１は共用ダクト、２は屋上に設けられた給気開口部、３は空気流入通路、４は共用ダクト１のＵターン底部、５は空気上昇通路、６は屋上に設けられた排気開口部、１０は燃焼器具、１１はこの燃焼器具１０の給排気トップである。
【０００３】
【発明が解決しようとする課題】
しかし、上記共用ダクト１を用いて行う給排気方式にあっては、最初の設計の段階では十分であっても、経年的に燃焼器具の使用台数が増加したり、容量が増えて給排気量が増大すると、共用ダクト１では給排気容量に不足が生じ、例えば低酸素濃度や排気圧の上昇に伴い不完全燃焼が発生したり、立消えが発生したりするという問題がある。その他、次のような問題がある。
１．最初の設計段階でも給排気容量が不足している場合が多い。
２．経年的に燃焼器具の使用台数が増加したり大型化して給排気容量が不足するようになることが多い。
３．系統全員の賛同を得られないと共用ダクトの改修工事等ができない。
４．共用ダクト物件に設置可能なガス機器がほとんどなく、能力アップ等に対応できないのが現状である。
５．共用ダクト物件は、その構造上設置ガス機器が限られているので、将来、経続的に管理していかなければならい。
【０００４】
以上の問題を解消するためには、共用ダクトの断面積を拡張する工事で対処することが考えられる。しかし、共用ダクトは共用部分であるため、改修工事等で対処する場合、各階全員の賛同を得る必要があり、これには時間と労力がかかる場合が多い。また、この工事は、建物の構造自体を変える大工事となり、実際には不可能である。
【０００５】
本発明は斯る点に鑑みて提案されるものであって、その目的とするところは、共用ダクトのスペースを利用して各階の給排気条件を改善して燃焼器具を良好な状態で燃焼させ、大型化及びレベルアップを可能にし、併せて安全性を高めることである。
【０００６】
【課題を解決するための手段】
上記目的を達成するため、請求項１に記載の発明においては、集合住宅のＵ型共用ダクトを用いて行う強制給排気式燃焼器具の給排気装置において、集合住宅の各階において、強制給排気式燃焼器具に結ばれた給気管の給気口は、前記集合住宅建設時に建物と一体に建設された既設のＵ型共用ダクト内に直接開設し、排気管は、前記共有ダクト内を立ち上げて、その上端の排気口を、共用ダクトの排気開口部近傍に開設したことを特徴とするものである。
【０００７】
更に、請求項２に記載の発明においては、集合住宅のＵ型共用ダクトを用いて行う強制給排気式燃焼器具の給排気装置において、集合住宅の各階において、強制給排気式燃焼器具に結ばれた給気管は、前記集合住宅建設時に建物と一体に建設された既設のＵ型共用ダクト内を底部方向に下降して延長し、その給気口を、共用ダクトの底部近傍に開設し、排気口は、前記共用ダクト内に直接開設したことを特徴とするものである。
【０００８】
更に、請求項３に記載の発明においては、集合住宅のＵ型共用ダクトを用いて行う強制給排気式燃焼器具の給排気装置において、集合住宅の各階において、強制給排気式燃焼器具に結ばれた給気管は、前記集合住宅建設時に建物と一体に建設された既設のＵ型共用ダクト内を底部方向に下降して延長し、その給気口を、共用ダクトの底部近傍に開設し、排気管は、共用ダクト内を立ち上げて、その上端の排気口を、当該共用ダクトの排気開口部近傍に開設したことを特徴とするものである。
【０００９】
【作用】
請求項１に記載の発明においては、給気は共用ダクトから直接行われ、排気は共用ダクトの排気開口部近傍において行われる。この結果、給気中に他の階（下層）で排出された排気が混ざらない。
【００１０】
次に、請求項２に記載の発明においては、燃焼用の空気はすべて共用ダクトの底部から吸引され、排気は共用ダクト内に排出される。この結果、燃焼用空気中に他の階（下層）で排出された排気が混ざらない。
【００１１】
次に、請求項３に記載の発明においては、燃焼用の空気はすべて共用ダクトの底部から吸引され、排気はすべて共用ダクトの上部排気開口部近傍で行われる。この結果、燃焼用空気中に他の階（下層）で排出された排気が混ざらない。
【００１２】
【発明の実施の形態】
本発明は、共用ダクトには手を加えることなく、器具の大型化や安全性の向上を可能にし、且つ良好な燃焼に改善するため、共用ダクト内に夫々の燃焼器具からの給排気管を設置する。このとき、給気側又は排気側はそのまま共用ダクト内に開口させ、他方だけを共用ダクトの低部又は排気開口部まで延長するか、条件が許す場合には、給排気管の双方を共用ダクトの底部又は排気開口部まで延長する。
【００１３】
また、各住戸において、給気を分岐したり、排気を集合して住戸ごとに共用ダクト内に設ける給排気口を夫々一つとし、ここから給気口又は排気口又はこの双方を延長するようにしてもよい。この方式の場合、給気又は排気管の数は住戸ごとに各１本となる。
【００１４】
燃焼器具は、自然給排気方式の場合、給排気管の直径が大きくなり、共用ダクトでは狭すぎるので、モータ駆動の給気又は排気ファンを組み込んだ所謂強制給排気方式の燃焼器具に適用するのが原則である。但し、自然給排気方式であっても、給気と排気が十分確保できる条件のときは、本発明を適用しても構わない。
【００１５】
【実施例１】
本実施例は、請求項１に記載の発明に対応するもので、図１に基づいてその具体例を詳述する。符号の１は共用ダクトであって、この共用ダクト１は建物の屋上に給気開口部２が設けてあり、建物内において、前記給気開口部２から流入した空気を空気流入通路３内で下降させ、底部４においてＵターンさせて空気流出通路５から屋上の排気開口部６を介して屋外に排出する構造となっている。
【００１６】
７は各階に設置された強制給排気方式の燃焼器具であって、この燃焼器具７の給気管８の給気口８ａはすべて共用ダクト１の空気流出通路５に開設され、排気管９の排気口９ａのみが共用ダクト１の排気開口部６まで延長されている。
【００１７】
上記構造とすることにより、排気は一切共用ダクト１内に排出されないため、従来のように、上階の燃焼器具７の給気中に下階の排気が混入して不完全燃焼や立消えと云ったトラブルが発生することはない。
【００１８】
【実施例２】
本実施例は、請求項２に記載の発明に対応するもので、図２に基づいてその具体例を詳述する。この実施例においては、実施例１の場合とは反対に、給気管８の給気口８ａはすべて共用ダクト１の底部４まで延長され、排気管９の排気口９ａはすべて共用ダクト１の空気流出通路５内に開設されている。
【００１９】
この実施例によると、燃焼器具７のすべては共用ダクト１の底部４から新鮮な空気を吸引することができ、空気流出通路５内を上昇する気流は排気だけとなる。但し、自然ドラフトにより共用ダクト１内に流入した外気も一部混ざる。
【００２０】
【実施例３】
本実施例は、請求項３に記載の発明に対応するもので、図３に基づいてその具体例を詳述する。この実施例においては、燃焼器具７の給気管８の給気口８ａはすべて共用ダクト１の底部４まで延長され、一方、排気管９の排気口９ａはすべて共用ダクト１の排気開口部６まで延長されている。
この実施例によると、燃焼器具７の給気中には一切排気が混入しないばかりでなく、排気も一切共用ダクト１内には排出されない。
【００２１】
【発明の効果】
本発明は以上のように、共用ダクトには手を加えることなく、各階の燃焼器具には排気の混ざらない、新鮮な空気を供給することができるため、燃焼器具の燃焼を常時最良に保つことができる。よって、従来のように、不完全燃焼あるいは立消えと云ったトラブルの発生の心配がなく、また、今日のように発展し続ける社会において温水の利用範囲が広がっているため、器具の能力アップも可能となり、安全で豊かな生活を可能にする。また、一般の燃焼器具が設置可能になるので、従来のように管理する手間が省ける。
【図面の簡単な説明】
【図１】実施例１の説明図。
【図２】実施例２の説明図。
【図３】実施例３の説明図。
【図４】共用ダクトにおける給排気側の説明図。
【符号の説明】
１  共用ダクト
２  給気開口部
３  空気流入通路
４  底部
５  空気流出通路
６  排気開口部
７  燃焼器具
８  給気管
８ａ  給気口
９  排気管
９ａ  排気口
【図１】
0003634666.tif 000002
【図２】
0003634666.tif 000003
【図３】
0003634666.tif 000004
【図４】
0003634666.tif 000005